(57)【特許請求の範囲】
【請求項１】
基体部と該基体部とは別個に成形されるバンド部とからなり、前記基体部は強度的に強い合成樹脂により成形され前記バンド部は可撓性を有する強靭な合成樹脂により成形され、
前記バンド部に該バンド部の中心軸線に対し直交する面における断面積が該バンド部の先端に向かうに従い漸次狭くなる多数の引っ掛り部を数珠状に列設し、
前記バンド部の基端部に該バンド部が挿通して逆抜け不能に係合する主係合孔を開設したブロック体部を設け、
前記基体部には前記バンド部が前記主係合孔に挿通して逆抜け不能に係合し得る状態で前記ブロック体部を抜脱不能に嵌合させる保持孔を設け、
前記バンド部の先端部には先端が窄まる円錐体形状の先端挿入部を設けると共に該先端挿入部の後端面に補強杆部を連設し、
前記補強杆部はその中央部に円柱部を有し、その前端と後端とにそれぞれ先へ進むに従い漸次窄まるテーパー部を設けたことを特徴とする封印具。
【発明の詳細な説明】
【技術分野】
【０００１】
本発明は、計器箱等の電気機器の封印に使用される封印具に関するものである。
【背景技術】
【０００２】
従来、電気機器の一種である計器箱の封印には、封印ネジの頭部に封印具を被せるキャップ式と封印ネジの頭部に貫設した通孔にワイヤーを挿通するワイヤー式とがある。前者の封印具は、例えば合成樹脂材により成形され金属製の封印ピンがその途中位置まで挿通されている。そして、計器箱の開閉蓋に螺締した封印ネジの頭部に前記封印具を被せ、この状態で封印ネジ頭部の横孔に封印ピンを圧入して挿通するようにしている。また、封印具は、計器箱の立上り壁に衝止することによりその回動が阻止されるようになっている（例えば、特許文献１参照。）。一方、後者の封印具は、開閉蓋に螺締した封印ネジの中心軸線に沿って開設された貫通穴にワイヤーを挿通すると共に該ワイヤーをねじって封印するようにしている（例えば、特許文献２参照。）。
【０００３】
【特許文献１】特開平９−５０２４０号公報（第２−３頁、図１乃至図４）
【特許文献２】特開２００４−２０５２８号公報（第２−３頁、図１乃至図３）
【発明の開示】
【発明が解決しようとする課題】
【０００４】
しかしながら、前記特許文献１の封印具は、封印ネジに封印具を被せた後に封印ピンを封印ピン頭部の横孔に圧入して挿通するようにしており、封印ピンを圧入するにペンチ等の工具を必要とするので面倒であり作業性の面で改良すべき点がある。また、特許文献２の封印具も、封印ネジの貫通穴にワイヤーを挿通すると共に該ワイヤーをねじって封印するようにしており、ワイヤーをねじるにペンチ等の工具を必要とするので面倒であり作業性の面で問題がある。しかも、ワイヤーが導電材料であることから、その切れ端が計器箱内に混入すると短絡事故を発生させるといった課題がある。
【０００５】
ところで、前記封印ネジ頭部の横孔は内径が例えば２ｍｍと非常に小さいことから、この小径の孔に挿通できることを条件に封印具を製作する必要がある。
【０００６】
そこで、本発明は上記課題に鑑みてなされたもので、工具を必要とすることなく簡単かつ迅速に封印できて作業性に優れ、しかも、小径の孔にも挿通し易く使い勝手が良い封印具を提供することを目的とするものである。
【課題を解決するための手段】
【０００７】
かかる目的を達成するため本発明に係る封印具は、合成樹脂材により成形され、基体部と該基体部から延設されるバンド部とからなり、前記基体部に前記バンド部が挿通して逆抜け不能に係合する主係合孔を開設し、前記バンド部には該バンド部の中心軸線に対し直交する面における断面積が該バンド部の先端に向かうに従い漸次狭くなる多数の引っ掛り部を数珠状に列設した構成からなる。
【０００８】
この際、前記各引っ掛り部は、円錐体形状であることが好ましい。
【０００９】
また、前記バンド部の基端部に該バンド部が挿通して逆抜け不能に係合する主係合孔を開設したブロック体部を設け、前記基体部には前記バンド部が前記主係合孔に挿通して逆抜け不能に係合し得る状態で前記ブロック体部を抜脱不能に嵌合させる保持孔を設けることが好ましい。
【発明の効果】
【００１０】
本発明に係る封印具は、封印ネジ頭部に貫設された小径の横孔を使っての封印作業であっても、バンド部が小径の横孔に挿通し易い形状であって、しかも、該バンド部を主係合孔に挿通し逆抜け不能に係合させるのみで済むので、小径の孔にも挿通し易く、また、工具を必要とすることなく封印作業が簡単かつ迅速に行なえ作業性にも優れるという効果が有る。
【００１１】
また本発明に係る封印具は、各引っ掛り部を円錐体形状に成形するようにしたので、バンド部の中心軸線方向の荷重に対して引っ掛り部には周囲に均等にその荷重が加わりバランスが良く、バンド部の中心軸線に沿った一側のみに集中して荷重が加わるようなことがない。よって、無用にバンド部が切断するといった事故が抑えられるという効果がある。
【００１２】
更に本発明に係る封印具は、バンド部の基端部に主係合孔を開設したブロック体部を設け、基体部には前記ブロック体部を抜脱不能に嵌合させる保持孔を設けることにより、バンド部と基体部とが別個に成形できる。よって、例えばバンド部を可撓性・適度な強靭性に富んだ合成樹脂材により成形し、基体部を強度に強い合成樹脂材により成形するようにすれば、バンド部がたやすく切断されたり基体部が簡単に破損したりすることが少なくなって不良品の発生を抑えることができ、引いては作業性の向上に寄与できるという効果がある。
【発明を実施するための最良の形態】
【００１３】
以下、本発明に係る封印具の実施の形態を図面に基づき説明する。図１は本発明に係る封印具の斜視図、図２は同組立前の分解斜視図、図３は同要部の断面図をそれぞれ示す。封印具Ａは、可撓性を有するバンド部１と該バンド部１が挿通して逆抜け不能に係合する基体部２とから構成される。バンド部１と基体部２とは一体成型により成形するようにしても良く、以下に説明するようにバンド部１と基体部２とをそれぞれ別個に成形し、これらを共に組み付けるようにしても良い。
【００１４】
前記バンド部１は、作業性の面から可撓性及び適度な強靭性に富むことが好ましく、例えばポリアミド樹脂材により成形される。そして、バンド部１の先端部に基端部側の後記する主係合孔８に挿通する先端挿入部３が設けられ、基端部に前記基体部２に抜脱不能に嵌合するブロック体部４が一体に設けられている。先端挿入部３は先端が窄まる円錐体形状に成形され、先端外径が例えば０．５ｍｍ、後端外径が例えば１．６ｍｍに設定される。また、該先端挿入部３の後端面に補強杆部５が連設されている。この補強杆部５は、先端挿入部３を主係合孔８に挿通する際、先端側が容易に折れ曲らないようにするためのものである。そして、該補強杆部５は、そのほぼ中央部に外径が例えば１．６ｍｍの円柱部５ａを有し、その両端に互いに先端側または後端側へ進むに従い漸次窄まり最小径が０．８ｍｍとなるテーパー部５ｂ，５ｂが一体に設けられている。
【００１５】
一方、ブロック体部４は空洞状の立方体形状に成形され、一側面６ａに外側へ突出する突状部４ａが一体に設けられる。この突状部４ａは、基体部２の一側に設けられた後記するガイド溝１８に嵌入するようになっており、ブロック体部４を嵌合するときガイドするためのものである。そして、突状部４ａの外側面とこれと対向するブロック体部４の他側面６ｂが開放している。ブロック体部４の内部には、内径が一側面６ａ側で大きく他側面６ｂに進むに従い小さくなるように複数枚の弾性噛合片７が円錐状に配置され、これら弾性噛合片７によりバンド部１を挿通して逆抜け不能に係合させる円筒状の主係合孔８が成形される。因みに、主係合孔８の基端側の内径は例えば１．８ｍｍ、先端側の内径は例えば０．５ｍｍに設定されている。
【００１６】
前記ブロック体部４の外周面であって前記両側面６ａ，６ｂを除いた対向する側面の内の一側面６ｃに、該ブロック体部４を基体部２内に嵌合して固着するための固定部材９が突設されている。該固定部材９は、一側面６ｃの中心に該一側面６ｃに対して直角に突出しており、先端部の対向する両面に対応位置させて基端側が低くなる段部１０，１０が設けられている。また、前記ブロック体部４の外周面であって前記一側面６ｃに対向する他側面６ｄには、その中心に例えば外径が１ｍｍの細径部１１が一体成型により成形されている。該細径部１１は他側面６ｄに対して直角に突出されている。
【００１７】
前記先端挿入部３側の補強杆部５とブロック体部４側の細径部１１との間には、多数の引っ掛り部１３が数珠状に列設される。該各引っ掛り部１３は、その中心軸線に直交する面における断面積が先端側すなわち先端挿入部３に向かうに従い漸次狭くなる円錐体形状に成形される。また、各引っ掛り部１３の先端部に外径が例えば０．８ｍｍの細径部１３ａが設けられており、該各細径部１３ａが隣接する引っ掛り部１３の後端面に一体に設けられる。該各細径部１３ａは、該後端面の中心に位置し該後端面に対して直角に突出されている。この場合、各引っ掛り部１３の先端外径は、前記細径部１３ａと同じく例えば０．８ｍｍであり、後端外径は例えば１．６ｍｍに設定される。
【００１８】
前記引っ掛り部１３としては、円錐体形状のものを示したが、これはバンド部１の中心軸線方向に荷重が加わった場合、各引っ掛り部１３にはその荷重が周囲に均等に加わりバランスが良い。よって、バンド部１の中心軸線に沿った一側のみに集中して荷重が加わるようなことが少なく、例えば片寄って荷重が掛かることにより無用にバンド部１が切断するといった事故が抑えられるからである。よって、支障が無い限り、前記断面積が先端挿入部３に向かうに従い漸次狭くなる形状となることを条件に、例えば引っ掛り部１３を正角錐体形状又は平板状でありかつ平面三角形状としても良い。
【００１９】
前記基体部２は、作業性の面から強度の強いことが好ましく、例えばＡＢＳ樹脂材により成形される。該基体部２は指先で摘める程度の板厚、例えば厚さ６ｍｍ、であって平面略円形状、例えば直径１３ｍｍ、に成形されている。厚み部分の一側面１４ａに、前記固定部材９側からブロック体部４を嵌合する角筒状の保持孔１５が設けられる。そして、その途中に、内幅が一側面１４ａ側で広く他側面１４ｂ側へ進むに従い狭まるように一対の弾性噛合片１６，１６が側面ハの字型に配置され、これら弾性噛合片１６，１６により前記固定部材９が抜脱不能に係合する副係合孔１７が成形される。
【００２０】
また、前記基体部２の厚み部分であって前記保持孔１５の一側に、該保持孔１５と平行して外側面が外部と連通しかつ内側面が保持孔１５と連通するガイド溝１８が凹設される。また、このガイド溝１８は前記基体部２における厚み部分の一側面１４ａすなわち保持孔１５の入口側の面も外部と連通している。一方、保持孔１５の他側には、該保持孔１５と直交するようにして内端面が該保持孔１５と連通し外端面が外部と連通する貫通孔１８ａが設けられる。該貫通孔１８ａは、保持孔１５にブロック体部４を嵌合したとき、その主係合孔８と合致して連通するように位置している。基体部２の表裏面には、弧状の外周縁に接するようにして指先で基体部２を摘んだとき滑って落とさないようにするための滑り止め部１９が成形される。この滑り止め部１９は、所望の形状のリブ２０，２０，２０を残してその周囲を肉盗みして窪ませている。
【００２１】
そして、図３に示すように基体部２の保持孔１５に固定部材９側からブロック体部４を嵌合させる。これにより、固定部材９の先端部が副係合孔１７内に挿入されると共に各弾性噛合片１６の外側へ突き出て、両側の段部１０，１０に弾性噛合片１６，１６先端が逆抜け不能に係合し、ブロック体部４が基体部２内に一体に固定される。この状態では、図５に示すようにブロック体部４の外周面と基体部２の外周面とは共に面一となり外観上綺麗であって使い易い。また、この際、主係合孔８とガイド溝１８とが合致して連通し、該主係合孔８にガイド溝１８を介し外側からバンド部１を挿通して係合できることになる。
【００２２】
本発明の封印具Ａは上記構成からなり、次に図４及び図５に基きその使用方法について説明する。図４において、３０は電力量計である計器箱であって、計器箱本体３１の下部に端子接続部３２が設けられ、該端子接続部３２の前面に該端子接続部３２を覆う開閉蓋３３が取着される。そして、該開閉蓋３３のほぼ中央に封印ネジ３４が螺締されている。図示は省略するが、この封印ネジ３４は端子接続部３２内に固着された受止具の螺子孔に螺締するようになっており、頭部３４ａの上面にドライバーの先端部が嵌り込む凹溝３５が設けられると共にその下方に横断状に横孔３６が貫設される。この横孔３６の内径は２ｍｍに設定されている。また、開閉蓋３３の上面には、封印ネジ３４に近接させて透孔３８を有する切り起し部３７が設けられている。
【００２３】
そこで、まず、封印具Ａにおけるバンド部１の先端挿入部３を封印ネジ３４の横孔３６に挿通し、次いで切り起し部３７の透孔３８に挿通する。最後に、ガイド溝１８を介して基体部２内の主係合孔８に挿通して十分に引っ張る。これにより、図５に示すようにいずれかの引っ掛り部１３の後端面が各弾性噛合片７の先端部に係合し、バンド部１が主係合孔８に逆抜け不能に係合することになる。この状態では、封印ネジ３４を回転させて緩めることができなくなり、開閉蓋３３を故意に開いて行われる不正行為が防止される。また、故意に開閉蓋３３を開けるべく、封印ネジ３４を無理に回転させ封印具Ａのバンド部１を切りつつ該封印ネジ３４外せば、封印具Ａのバンド部１が切断された痕跡がそのまま残ることになり、不正行為をしたことが容易に判別できる。
【００２４】
一方、計器箱３０の定期点検のため開閉蓋３３を開ける場合は、バンド部１または基体部２を指先で引っ張ることにより、いずれかの両引っ掛り部１３，１３間の細径部１３ａから切断され封印具Ａを取り外すことができる。そして、計器箱３０の点検が終了した後は開閉蓋３３を閉め、再び封印ネジ３４を螺締し前記と同様な手順によって新たな封印具Ａにより封印を行う。
【００２５】
このように、本発明は、封印ネジ３４の頭部３４ａに開設され内径２ｍｍといった小径の横孔３６を使っての封印作業であっても、バンド部１すなわち引っ掛り部１３が小径の横孔３６に挿通し易い形状であり、バンド部１を主係合孔８に挿通し逆抜け不能に係合させるのみで済むので、小径の孔にも挿通し易く、また、工具を必要とすることなく封印作業が簡単かつ迅速に行なえる。すなわち、本発明は小径の孔を使っての封印作業に極めて有益な効果を発揮する。更に、封印具Ａは全体に合成樹脂材のみで成形されるので、仮に、その切れ端が前記計器箱３０の端子接続部３２内に入ったとしても、短絡事故を起こすようなことはない。
【００２６】
また、各引っ掛り部１３を円錐体形状に成形するようにしたので、バンド部１の中心軸線方向の荷重に対して引っ掛り部１３には周囲に均等にその荷重が加わりバランスが良く、バンド部１の中心軸線に沿った一側のみに集中して荷重が加わるようなことがない。これにより、無用にバンド部１が切断するといった事故が抑えられる。
【００２７】
更に、バンド部１の基端部に主係合孔８を開設したブロック体部４を設け、基体部２にはブロック体部４を抜脱不能に嵌合させる保持孔１５を設けている。すなわち、バンド部１と基体部２とを別個に成形するようにしたので、前記したように例えばバンド部１を可撓性・適度な強靭性に富んだ合成樹脂材により成形し、基体部２を強度に強い合成樹脂材により成形するようにすれば、バンド部１がたやすく切断されたり基体部２が簡単に破損したりすることが少なくなって不良品の発生を抑えることができ、引いては作業性の向上に寄与できる。
【００２８】
なお、本発明に係る封印具Ａは、本実施の形態で説明した計器箱３０に限られるものではなく、例えばキュービクル内の変圧変流器、高圧計器箱など他の電気機器の封印にも使用できることは勿論である。
【図面の簡単な説明】
【００２９】
【図１】本発明に係る封印具の斜視図。
【図２】同組立前の分解斜視図。
【図３】同要部の断面図。
【図４】封印具の使用状態を示す計器箱の斜視図。
【図５】同封印具の断面図。
【符号の説明】
【００３０】
１                バンド部
２                基体部
３                先端挿入部
４                ブロック体部
５                補強杆部
５ａ              円柱部
５ｂ              テーパー部
８                主係合孔
１３              引っ掛り部
１５              保持孔
Ａ                封印具
【図１】
0004699934.tif 000002
【図２】
0004699934.tif 000003
【図３】
0004699934.tif 000004
【図４】
0004699934.tif 000005
【図５】
0004699934.tif 000006